(57)【要約】【課題】磁石を用いず、また皮膚に貼り付ける必要もない、血流促進具およびウエストベルトを提供する。【解決手段】充電可能かつ放電可能なコンデンサー１０と、コンデンサー１０に充電する電源２０と、コンデンサー１０と電源２０とを収納し、かつ、コンデンサー１０から放電された電子ｅを放出可能な材料からなる収納容器３０とを備える。コンデンサー１０は、充電された状態で、外装皮膜ないし外装スリーブ１１を有しない状態で、収納容器３０に収納される。ウエストベルトは、血流促進具１の収納部を有する。【選択図】図１
0003224565.tif 000002
【実用新案登録請求の範囲】
【請求項１】
充電可能かつ放電可能なコンデンサー１０と、
このコンデンサー１０に充電する電源２０と、
これらコンデンサー１０と電源２０とを収納し、かつ、コンデンサー１０から放電された電子ｅを放出可能な材料からなる収納容器３０と、
を備えることを特徴とする血流促進具。
【請求項２】
充電可能かつ放電可能な電解コンデンサー１０と、
この電解コンデンサー１０に充電するボタン電池と、
これら電解コンデンサー１０とボタン電池とを収納し、かつ、電解コンデンサー１０から放電された電子ｅを放出可能な材料からなる円筒状または楕円円筒状の収納容器３０と、
を備えることを特徴とする血流促進具。
【請求項３】
請求項１または２において、
前記コンデンサー１０は、充電された状態で、外装皮膜ないし外装スリーブを有しない状態で、前記収納容器３０に収納されることを特徴とする血流促進具。
【請求項４】
請求項１〜３のうちいずれか一項に記載の血流促進具の収納部を有することを特徴とするウエストベルト。
【考案の詳細な説明】
【技術分野】
【０００１】
本考案は、血流促進具およびウエストベルトに関するものである。
【背景技術】
【０００２】
従来、例えば特許文献１に見られるように、磁石による磁気の血流促進効果を得ようとした磁気装身具が知られている。
しかしこのものでは、十分な血流促進効果は得がたい。
【０００３】
また、従来、例えば特許文献２に見られるように、血流の促進を図るべく、皮膚に添付して使用される添付シートも知られている。
しかしこのものは、皮膚に貼り付ける必要があるため、肌荒れ、かゆみ等を招きやすい。
【先行技術文献】
【特許文献】
【０００４】
【特許文献１】実用新案登録第3210600号号公報
【特許文献２】特開2016-216396号公報
【考案の概要】
【考案が解決しようとする課題】
【０００５】
本考案が解決しようとする課題は、磁石を用いず、また皮膚に貼り付ける必要もない、血流促進具およびウエストベルトを提供することである。
【課題を解決するための手段】
【０００６】
上記課題を解決するために、本考案の血流促進具は、
充電可能かつ放電可能なコンデンサーと、
このコンデンサーに充電する電源と、
これらコンデンサーと電源とを収納し、かつ、コンデンサーから放電された電子を放出可能な材料からなる収納容器と、
を備えることを特徴とする。
【０００７】
この血流促進具によれば、コンデンサーから放電された電子は、収納容器を通じて、収納容器外へ放出される。
したがって、この血流促進具を肌に接触させ、または、肌に近接させる（洋服等を介して近接させる場合を含む）と、収納容器外へと放出された電子（自由電子）が、血管内の赤血球に陰電荷を帯びさせる。
このため、赤血球同士が結び付きにくくなり、結果として、血流が促進されることとなる。
【０００８】
以上のように、この血流促進具によれば、磁石を用いることなく、また皮膚に貼り付けなくても、血流を促進させることができる。
【０００９】
また、上記課題を解決するために、本考案の血流促進具は、
充電可能かつ放電可能な電解コンデンサーと、
この電解コンデンサーに充電するボタン電池と、
これら電解コンデンサーとボタン電池とを収納し、かつ、電解コンデンサーから放電された電子を放出可能な材料からなる円筒状または楕円円筒状の収納容器と、
を備えることを特徴とする。
【００１０】
この血流促進具によれば、電解コンデンサーから放電された電子は、収納容器を通じて、収納容器外へ放出される。
したがって、この血流促進具を肌に接触させ、または、肌に近接させる（洋服等を介して近接させる場合を含む）と、収納容器外へと放出された電子（自由電子）が、血管内の赤血球に陰電荷を帯びさせる。
このため、赤血球同士が結び付きにくくなり、結果として、血流が促進されることとなる。
【００１１】
以上のように、この血流促進具によれば、磁石を用いることなく、また皮膚に貼り付けなくても、血流を促進させることができる。
【００１２】
しかも、電解コンデンサーにより大容量化を図ることができると同時に、電源としてボタン電池を用いたことと相俟って小型化を図ることもできる。
さらに、収納容器は、円筒状または楕円円筒状であるので、使用者にストレスを感じさせずに肌に接触または近接させやすい。
【００１３】
この血流促進具においては、
前記コンデンサーは、充電された状態で、外装皮膜ないし外装スリーブを有しない状態で、前記収納容器に収納される構成とすることができる。
【００１４】
このように構成すると、この血流促進具の使用開始時から良好に、コンデンサーから電子が放電され、使用開始時から良好に、収納容器を通じて、収納容器外へ放出されることとなる。
【００１５】
また、上記課題を解決するために、本考案のウエストベルトは、
請求項１〜３のうちいずれか一項に記載の血流促進具の収納部を有することを特徴とする。
【００１６】
このウエストベルトによれば、ベルトを装着することで、血流促進具を腹部ないし腰部に近接させ、腹部ないし腰部から血流を促進させることができる。
【図面の簡単な説明】
【００１７】
【図１】（ａ）は本考案に係る血流促進具の実施の形態を示す概略断面図、（ｂ）はコンデンサーおよび電源を示す図。
【図２】（ａ）（ｂ）（ｃ）は作用説明図。
【図３】（ａ）は本考案に係るウエストベルトの実施の形態を示す正面図、（ｂ）は図（ａ）におけるｂ−ｂ断面図。
【考案を実施するための形態】
【００１８】
以下、本考案に係る血流促進具の実施の形態について図面を参照して説明する。なお、各図において、同一部分ないし相当する部分には、同一の符号を付してある。
【００１９】
図１に示すように、この実施の形態の血流促進具１は、
充電可能かつ放電可能なコンデンサー１０と、
このコンデンサー１０に充電する電源２０と、
これらコンデンサー１０と電源２０とを収納し、かつ、コンデンサー１０から放電された電子を放出可能な材料からなる収納容器３０と、
を備えている。
【００２０】
図２に示すように、この血流促進具１によれば、コンデンサー１０から放電された電子ｅは、収納容器３０を通じて、収納容器３０の外へ放出される（図（ｂ））。
【００２１】
したがって、例えば図２（ａ）に示すように、この血流促進具１を使用者Ｕの肌Ｕ１に接触させ、または、肌Ｕ１に近接させる（洋服等を介して近接させる場合を含む）と、図２（ｂ）に示すように収納容器３０の外へと放出された電子ｅ（自由電子ｅ）が、図２（ｃ）に示すように、使用者の血管Ｕ２内の赤血球Ｕ３に陰電荷（−）を帯びさせる。
このため、赤血球同士が結び付きにくくなり、結果として、血流が促進されることとなる。
【００２２】
以上のように、この血流促進具１によれば、磁石を用いることなく、また皮膚に貼り付けなくても、血流を促進させることができる。
【００２３】
赤血球の表面にはさまざまな物質がついている。その代表がシアル酸という陰電荷をもつ物質である。そのため、赤血球の表面は陰電荷となっている。赤血球同士がくっつかないのは、１個１個が陰帯電しているからであり、血管壁も同じようにシアル酸で覆われているので、赤血球が血管壁にくっつくこともない。
【００２４】
しかし何らかの理由により、体内に陽の静電気が増え、シアル酸が本来持つ陰電荷よりもはるかに大きな陽電荷になると、シアル酸の陰電荷が打ち消された上に陽に帯電することもある。そのような状態になると、それが赤血球の表面の電荷を狂わせ、本来は陰に帯電している赤血球の表面が、陽の静電気によって陽に帯電するものも出てくる。そうすると、血液の中に、陰電荷の赤血球と陽電荷の赤血球が混存することとなり、陰電荷と陽電荷とが互いに引き合い、これが粘性の血液となる。
【００２５】
これに対し、この血流促進具１によれば、上述したように、使用者の血管Ｕ２内の赤血球に陰電荷（−）を帯びさせるため、赤血球同士が結び付きにくくなり、結果として、血流が促進されることとなる。
【００２６】
この実施の形態において、コンデンサー１０は充電可能かつ放電可能な電解コンデンサーであり、この電解コンデンサー１０に充電する電源２０はボタン電池である。また、この実施の形態において、収納容器３０は円筒状であるが、楕円円筒状とすることもできる。
【００２７】
このように構成すると、電解コンデンサー１０により大容量化を図ることができると同時に、電源２０としてボタン電池を用いたことと相俟って小型化を図ることもできる。
【００２８】
さらに、収納容器３０は、円筒状または楕円円筒状であるので、使用者Ｕにストレスを感じさせずに肌に接触または近接させやすい。
【００２９】
コンデンサー１０は、充電された状態で、図１（ａ）に示すように、外装皮膜ないし外装スリーブ１１（図１（ｂ）参照）を有しない状態で、収納容器３０に収納される。
【００３０】
このように構成すると、この血流促進具１の使用開始時から良好に、コンデンサー１０から電子ｅが放電され、使用開始時から良好に、収納容器３０を通じて、収納容器３０外へ電子ｅが放出されることとなる。
【００３１】
この血流促進具１の使用環境は、温度が体温または常温であり、コンデンサー１０からの放電は端子からではなくコンデンサ一本体表面からの、自然放電である。
そのため、満充電したコンデンサーの蓄電容量が半減するのには、電源２０からの充電がないとしても１年以上はかかる。
【００３２】
これに対し、この血流促進具１は、コンデンサーの容量が減った分だけ、随時、電源２０から、緩やかに、微弱電流で充電されるため、使用可能な時間は非常に長時間となる。
【００３３】
また、電源２０からの充電は、緩やかに、微弱電流で行われるため、コンデンサーには、ほとんど負荷がかからないし、コンデンサーが発熱することもない。
この点からも、この血流促進具１の使用可能期間は非常に長期間となる。また、発熱しないため、乳幼児にも使用可能である。
【００３４】
図３に示すように、この実施の形態のウエストベルト５０は、血流促進具１の収納部５１を有している。
【００３５】
このウエストベルト５０によれば、ベルト５０を装着することで、血流促進具１を腹部ないし腰部に近接させ、腹部ないし腰部から血流を促進させることができる。
【００３６】
コンデンサー１０は、充電可能かつ放電可能なものであれば適宜のものを用いることができるが、上述したように電解コンデンサーを用いるのが望ましい。例えばアルミ電解コンデンサーを用いることができる。
【００３７】
電源２０は、コンデンサー１０に充電することができる電源であれば適宜のものを採用することができるが、上述したようにボタン電池を用いるのが望ましい。
【００３８】
収納容器３０は、コンデンサー１０と電源２０とを収納し、かつ、コンデンサー１０から放電された電子を放出可能な材料からなるものであれば、適宜の材質、適宜の形状のものを採用できる。例えば、金属、シリコン樹脂で構成することができる。形状は任意であるが、上述したように、円筒状または楕円円筒状とするのが望ましい。
【００３９】
ウエストベルト５０は、血流促進具１の収納部５１を有していれば、適宜の材質、適宜の形状のものを採用することができる。
収納部５１は１つでも良いし、複数個（図示のものは６個）設けて、それぞれの収納部５１に血流促進具１を収納するようにすることもできる。
【実施例】
【００４０】
静電容量１００Ｆの、アルミ電解コンデンサーを、外装皮膜（図１（ｂ）の符号１１参照）を取り除いた状態で、満充電後、充電用電源としての１．５Ｖボタン電池と共に、アルミ製カプセル状の収納容器に収納して血流促進具を構成した。
【００４１】
この血流促進具は、肌に接触させて使用することも可能であり、ズボンや上着等のポケットに、入れて使用することもでき、上述のようにベルトに装着して使用することもできる。
【００４２】
なお、本考案者の実験では、ポケットに入れて使用開始後５分程で、ホカホカと身体の内側から暖かさが感じられた。
【００４３】
以上、本考案の実施の形態および実施例について説明したが、本考案は上記の実施の形態ないし実施例に限定されるものではなく、本考案の要旨の範囲内において適宜変形実施可能である。
【符号の説明】
【００４４】
１：    血流促進具
１０：    コンデンサー（電解コンデンサー）
１１：    外装皮膜（外装スリーブ）
２０：    電源（ボタン電池）
３０：    収納容器
５０：    ウエストベルト
【図１】
0003224565.tif 000003
【図２】
0003224565.tif 000004
【図３】
0003224565.tif 000005